(57)【要約】【課題】各業務プログラムの作成ＯＳ、実行ＯＳが変更になったとしても、表示部１９に表示される文字および色の文字サイズ、色値を常に最良状態にする。【解決手段】各情報処理端末１４ａ〜１４ｃに、作成ＯＳと実行ＯＳとの各組合せ毎の文字調整係数Ｋｍ、色調整係数Ｋｃを記憶した文字サイズ調整テーブル２３、表示色調整テーブル２４を設けている。そして、業務プログラムを実行するに際して、作成ＯＳと実行ＯＳの組合せで定まる文字調整係数Ｋｍ、色調整係数Ｋｃで、業務プログラムが指定した文字サイズおよび色値を調整する。【選択図】      図３
2007188412.tif 000002
【特許請求の範囲】
【請求項１】
各種データを記憶するデータベースサーバと、このデータベースサーバに対して伝送路を介して接続され、前記データベースサーバに対するデータ検索の業務プログラムを含む複数の業務プログラムが記憶された複数の情報処理端末とを備えた情報処理システムにおいて、
前記各情報処理端末は、
前記記憶された各業務プログラムの作成に用いたＯＳの種別を記憶するプログラム管理テーブルと、
作成に用いたＯＳの種別が異なる同一業務プログラムを複数種別のＯＳで実行した場合に表示部に表示される文字の文字サイズが同一文字サイズになるように、作成ＯＳと実行ＯＳとの組合せ毎に、前記業務プログラムの指定文字サイズを調整するための文字調整係数を記憶する文字サイズ調整テーブルと、
業務プログラムの実行指示に基づいて、前記プログラム管理テーブルから読出した前記実行指示された業務プログラムの作成ＯＳと、当該情報処理端末のＯＳからなる実行ＯＳとの組合せで、前記文字サイズ調整テーブルの文字調整係数を検索する文字調整係数検索手段と、
前記業務プログラムの実行指示に応じて指示された業務プログラムの実行過程において文字サイズを指定した文字表示指示に応じて、指定文字サイズを前記検索された文字調整係数で調整する表示文字サイズ調整手段とを有する
ことを特徴とする情報処理システム。
【請求項２】
各種データを記憶するデータベースサーバと、このデータベースサーバに対して伝送路を介して接続され、前記データベースサーバに対するデータ検索の業務プログラムを含む複数の業務プログラムが記憶された複数の情報処理端末とを備えた情報処理システムにおいて、
前記データベースサーバは、
前記各情報処理端末に記憶された各業務プログラムの作成に用いたＯＳの種別を記憶するプログラム管理テーブルと、
作成に用いたＯＳの種別が異なる同一業務プログラムを複数種別のＯＳで実行した場合に表示部に表示される文字の文字サイズが同一文字サイズになるように、作成ＯＳと実行ＯＳとの組合せ毎に、前記業務プログラムの指定文字サイズを調整するための文字調整係数を記憶する文字サイズ調整テーブルとを有し、
前記各情報処理端末は、
業務プログラムの実行指示に基づいて、前記データベースサーバに記憶された前記プログラム管理テーブルから読出した前記実行指示された業務プログラムの作成ＯＳと、当該情報処理端末のＯＳからなる実行ＯＳとの組合せで、前記データベースサーバに記憶された文字サイズ調整テーブルの文字調整係数を検索する文字調整係数検索手段と、
前記業務プログラムの実行指示に応じて指示された業務プログラムの実行過程において文字サイズを指定した文字表示指示に応じて、指定文字サイズを前記検索された文字調整係数で調整する表示文字サイズ調整手段とを有する
ことを特徴とする情報処理システム。
【請求項３】
前記各情報処理端末は、外部指示に応じて当該情報処理端末独自のプログラム管理テーブルおよび文字サイズ調整テーブルとを記憶保持する手段を有し、
前記文字調整係数検索手段は、当該情報処理端末にプログラム管理テーブルおよび文字サイズ調整テーブルが記憶保持されていた場合に、当該プログラム管理テーブルおよび文字サイズ調整テーブルを用いて文字調整係数を検索する
ことを特徴とする請求項２記載の情報処理システム。
【請求項４】
各種データを記憶するデータベースサーバと、このデータベースサーバに対して伝送路を介して接続され、前記データベースサーバに対するデータ検索の業務プログラムを含む複数の業務プログラムが記憶された複数の情報処理端末とを備えた情報処理システムにおいて、
前記各情報処理端末は、
前記記憶された各業務プログラムの作成に用いたＯＳの種別を記憶するプログラム管理テーブルと、
作成に用いたＯＳの種別が異なる同一業務プログラムを複数種別のＯＳで実行した場合に表示部に表示される文字の文字サイズが同一文字サイズになるように、作成ＯＳと実行ＯＳとの組合せ毎に、前記業務プログラムの指定文字サイズを調整するための文字調整係数を記憶する文字サイズ調整テーブルと、
作成に用いたＯＳの種別が異なる同一業務プログラムを複数種別のＯＳで実行した場合に表示部に表示される色の表示色が同一表示色になるように、作成ＯＳと実行ＯＳとの組合せ毎に、前記業務プログラムの指定色値を調整するための色調整係数を記憶する表示色調整テーブルと、
業務プログラムの実行指示に基づいて、前記プログラム管理テーブルから読出した前記実行指示された業務プログラムの作成ＯＳと、当該情報処理端末のＯＳからなる実行ＯＳとの組合せで、前記文字サイズ調整テーブルの文字調整係数を検索する文字調整係数検索手段と、
業務プログラムの実行指示に基づいて、前記プログラム管理テーブルから読出した前記実行指示された業務プログラムの作成ＯＳと、当該情報処理端末のＯＳからなる実行ＯＳとの組合せで、前記表示色調整テーブルの色調整係数を検索する色調整係数検索手段と、
前記業務プログラムの実行指示に応じて指示された業務プログラムの実行過程において文字サイズを指定した文字表示指示に応じて、指定文字サイズを前記検索された文字調整係数で調整する表示文字サイズ調整手段と、
前記業務プログラムの実行指示に応じて指示された業務プログラムの実行過程において色値を指定した色表示指示に応じて、指定色値を前記検索された色調整係数で調整する表示色値調整手段とを有する
ことを特徴とする情報処理システム。
【請求項５】
各種データを記憶するデータベースサーバと、このデータベースサーバに対して伝送路を介して接続され、前記データベースサーバに対するデータ検索の業務プログラムを含む複数の業務プログラムが記憶された複数の情報処理端末とを備えた情報処理システムにおいて、
前記データベースサーバは、
前記各情報処理端末に記憶された各業務プログラムの作成に用いたＯＳの種別を記憶するプログラム管理テーブルと、
作成に用いたＯＳの種別が異なる同一業務プログラムを複数種別のＯＳで実行した場合に表示部に表示される文字の文字サイズが同一文字サイズになるように、作成ＯＳと実行ＯＳとの組合せ毎に、前記業務プログラムの指定文字サイズを調整するための文字調整係数を記憶する文字サイズ調整テーブルと、
作成に用いたＯＳの種別が異なる同一業務プログラムを複数種別のＯＳで実行した場合に表示部に表示される色の表示色が同一表示色になるように、作成ＯＳと実行ＯＳとの各組合せ毎に、前記業務プログラムの指定色値を調整するための色調整係数を記憶する表示色調整テーブルとを有し、
前記各情報処理端末は、
業務プログラムの実行指示に基づいて、前記データベースサーバに記憶された前記プログラム管理テーブルから読出した前記実行指示された業務プログラムの作成ＯＳと、当該情報処理端末のＯＳからなる実行ＯＳとの組合せで、前記データベースサーバに記憶された文字サイズ調整テーブルの文字調整係数を検索する文字調整係数検索手段と、
業務プログラムの実行指示に基づいて、前記データベースサーバに記憶された前記プログラム管理テーブルから読出した前記実行指示された業務プログラムの作成ＯＳと、当該情報処理端末のＯＳからなる実行ＯＳとの組合せで、前記データベースサーバに記憶された表示色調整テーブルの色調整係数を検索する色調整係数検索手段と、
前記業務プログラムの実行指示に応じて指示された業務プログラムの実行過程において文字サイズを指定した文字表示指示に応じて、指定文字サイズを前記検索された文字調整係数で調整する表示文字サイズ調整手段と、
前記業務プログラムの実行指示に応じて指示された業務プログラムの実行過程において色値を指定した色表示指示に応じて、指定色値を前記検索された色調整係数で調整する表示色値調整手段とを有する
ことを特徴とする情報処理システム。
【請求項６】
前記各情報処理端末は、外部指示に応じて当該情報処理端末独自のプログラム管理テーブル、文字サイズ調整テーブルおよび表示色調整テーブルを記憶保持する手段を有し、
前記文字調整係数検索手段は、当該情報処理端末にプログラム管理テーブルおよび文字サイズ調整テーブルが記憶保持されていた場合に、当該プログラム管理テーブルおよび文字サイズ調整テーブルを用いて文字調整係数を検索し、
前記色調整係数検索手段は、当該情報処理端末にプログラム管理テーブルおよび文字サイズ調整テーブルが記憶保持されていた場合に、当該プログラム管理テーブルおよび表示色調整テーブルを用いて色調整係数を検索する
ことを特徴とする請求項５記載の情報処理システム。
【請求項７】
各種データを記憶するデータベースサーバに対して伝送路を介して接続され、前記データベースサーバに対するデータ検索の業務プログラムを含む複数の業務プログラムが記憶されたコンピュータを、
前記記憶された各業務プログラムの作成に用いたＯＳの種別をプログラム管理テーブルに記憶する手段、
作成に用いたＯＳの種別が異なる同一業務プログラムを複数種別のＯＳで実行した場合に表示部に表示される文字の文字サイズが同一文字サイズになるように、作成ＯＳと実行ＯＳとの組合せ毎に、前記業務プログラムの指定文字サイズを調整するための文字調整係数を文字サイズ調整テーブルに記憶する手段、
業務プログラムの実行指示に基づいて、前記プログラム管理テーブルから読出した前記実行指示された業務プログラムの作成ＯＳと、当該情報処理端末のＯＳからなる実行ＯＳとの組合せで、前記文字サイズ調整テーブルの文字調整係数を検索する手段、
前記業務プログラムの実行指示に応じて指示された業務プログラムの実行過程において文字サイズを指定した文字表示指示に応じて、指定文字サイズを前記検索された文字調整係数で調整する手段
として機能させるための情報処理プログラム。
【請求項８】
各種データを記憶するデータベースサーバに対して伝送路を介して接続され、前記データベースサーバに対するデータ検索の業務プログラムを含む複数の業務プログラムが記憶されたコンピュータを、
前記記憶された各業務プログラムの作成に用いたＯＳの種別をプログラム管理テーブルに記憶する手段、
作成に用いたＯＳの種別が異なる同一業務プログラムを複数種別のＯＳで実行した場合に表示部に表示される文字の文字サイズが同一文字サイズになるように、作成ＯＳと実行ＯＳとの組合せ毎に、前記業務プログラムの指定文字サイズを調整するための文字調整係数を文字サイズ調整テーブルに記憶する手段、
作成に用いたＯＳの種別が異なる同一業務プログラムを複数種別のＯＳで実行した場合に表示部に表示される色の表示色が同一表示色になるように、作成ＯＳと実行ＯＳとの組合せ毎に、前記業務プログラムの指定色値を調整するための色調整係数を表示色調整テーブルに記憶する手段、
業務プログラムの実行指示に基づいて、前記プログラム管理テーブルから読出した前記実行指示された業務プログラムの作成ＯＳと、当該情報処理端末のＯＳからなる実行ＯＳとの組合せで、前記文字サイズ調整テーブルの文字調整係数を検索する手段、
業務プログラムの実行指示に基づいて、前記プログラム管理テーブルから読出した前記実行指示された業務プログラムの作成ＯＳと、当該情報処理端末のＯＳからなる実行ＯＳとの組合せで、前記表示色調整テーブルの色調整係数を検索する手段、
前記業務プログラムの実行指示に応じて指示された業務プログラムの実行過程において文字サイズを指定した文字表示指示に応じて、指定文字サイズを前記検索された文字調整係数で調整する手段、
前記業務プログラムの実行指示に応じて指示された業務プログラムの実行過程において色値を指定した色表示指示に応じて、指定色値を前記検索された色調整係数で調整する手段
として機能させるための情報処理プログラム。
【発明の詳細な説明】
【技術分野】
【０００１】
本発明は、各種データを記憶するデータベースサーバに対して複数の情報処理端末を接続して、各情報処理端末からデータベースサーバに対するデータ検索等の各種業務を行う情報処理システムに関する。
【背景技術】
【０００２】
各種データを記憶するデータベース（ＤＢ）が設けられたデータベースサーバに対してネットワークを介して多数のクライアントとしての情報処理端末を接続した情報処理システムにおいて、各情報処理端末は、自己のプログラムメモリに記憶された業務プログラムに基づいて各種業務を実行する。この業務を実行する過程で、データベース（ＤＢ）に記憶されているデータを参照し、データベース（ＤＢ）にデータを書込むことがある。
【０００３】
また、一般に、このような情報処理システムにおける各情報処理端末においては、複数の業務プログラムが記憶されているが、各業務プログラムは、他の情報処理端末に記憶されている業務プログラムと同一である。例えば、この情報処理システムを構成する１台の情報処理端末で一つの業務プログラムを作成して、この作成した業務プログラムをネットワークを介して他の情報処理端末へ配信する。
【０００４】
この場合、この情報処理システムを構成する各情報処理端末には、同一種別のＯＳ（オペレーション・システム）のプログラムが組込まれており、ＯＳでない各業務プログラムは、同一種別のＯＳを用いて作成され、かつ、同一種別のＯＳを用いて実行される。
【０００５】
したがって、例えば、図１６（ａ）に示すように、情報処理端末の表示部の表示画面１に、この業務プログラムで文字２と枠３とを表示し、この枠３内に、データベースサーバのデータベース（ＤＢ）を検索して得られたデータ４を表示する場合において、文字２と、枠３、データ４の大きさのバランスが取れるように、業務プログラム上において、文字２の文字サイズ、枠３のサイズを設定していた。
【０００６】
しかしながら、各情報処理端末に標準装備されているＯＳは、短期間のうちに、高機能化された新規のＯＳに変更される場合が多発する。したがって、この情報処理システムに新規の情報処理端末を追加した場合においては、情報処理システムに組込まれた各情報処理端末は同一種別のＯＳではなくて、異なる種別のＯＳが組込まれていることになる。
【０００７】
さらに、各情報処理端末に記憶されている各業務プログラムは、各業務プログラムの作成に用いた情報処理端末のＯＳの種別が異なることもあるので、作成ＯＳが固定されない。したがって、たとえ各情報処理端末に記憶された、同一の業務プログラムであったとしても、作成ＯＳの種別と実行ＯＳの種別は、互いに関連を持たずに、まちまちである。
【０００８】
この場合、前述したように、作成したＯＳの種別と同一種別のＯＳで実行されると想定して作成された業務プログラムにおいては、図１６（ａ）に示すように、表示画面１に表示された文字２の大きさは隣接する枠３に対して適正な大きさである。
【０００９】
しかし、同一業務プログラムを作成したＯＳの種別と異なる種別のＯＳで該当業務プログラムを実行した場合においては、例えば、図１６（ｂ）に示すように、文字２が適正サイズに比較して異常に大きく表示されたり、図１６（ｃ）に示すように、文字２が適正サイズに比較して異常に小さく表示されることがある。
【００１０】
さらに、表示画面１に表示される文字２の色を含む表示色においても、同一業務プログラムを作成したＯＳの種別と異なる種別のＯＳで実行した場合においては、表示色が変化する。
【００１１】
また、図１６（ｄ）、（ｅ）に示すように、枠３内に、データベースから読出したデータ４が異常に小さく表示されたり、異常に大きく表示されることがある。
【００１２】
なお、特許文献１には、表示器の性能、解像度に合わせて、アプリケーション・プログラム側で表示器に表示する部品（画像）を拡大、縮小する技術が開示されている。
【特許文献１】特開平１１―１０２２７８号公報
【発明の開示】
【発明が解決しようとする課題】
【００１３】
このように、上述した従来の情報処理システムにおいては、業務プログラムを作成したＯＳの種別が単独で変更された場合や、作成ＯＳと実行ＯＳとの組合せが変更になると、表示部の表示画面に表示された文字の文字サイズや表示された色が大きく変化し、操作者にとって、非常に見にくく、情報処理端末の操作性が低下する問題があった。
【００１４】
本発明はこのような事情に鑑みてなされたものであり、各情報処理端末に記憶されている各業務プログラムの作成ＯＳ、実行ＯＳがそれぞれ単独で、又は組合せで変更になったとしても、表示部に表示される文字の文字サイズ、表示部に表示される色の色値が、常に最良の文字サイズ、色値に制御される情報処理システムおよび情報処理プログラムを提供することを目的とする。
【課題を解決するための手段】
【００１５】
上記課題を解決するために、本発明は、各種データを記憶するデータベースサーバと、このデータベースサーバに対して伝送路を介して接続され、前記データベースサーバに対するデータ検索の業務プログラムを含む複数の業務プログラムが記憶された複数の情報処理端末とを備えた情報処理システムにおいて、
各情報処理端末に対して、記憶された各業務プログラムの作成に用いたＯＳの種別を記憶するプログラム管理テーブルと、作成に用いたＯＳの種別が異なる同一業務プログラムを複数種別のＯＳで実行した場合に表示部に表示される文字の文字サイズが同一文字サイズになるように、作成ＯＳと実行ＯＳとの組合せ毎に、業務プログラムの指定文字サイズを調整するための文字調整係数を記憶する文字サイズ調整テーブルと、業務プログラムの実行指示に基づいて、プログラム管理テーブルから読出した実行指示された業務プログラムの作成ＯＳと、当該情報処理端末のＯＳからなる実行ＯＳとの組合せで、文字サイズ調整テーブルの文字調整係数を検索する文字調整係数検索手段と、記業務プログラムの実行指示に応じて指示された業務プログラムの実行過程において文字サイズを指定した文字表示指示に応じて、指定文字サイズを前記検索された文字調整係数で調整する表示文字サイズ調整手段とを備えている。
【００１６】
このように構成された情報処理システムにおいては、作成ＯＳと実行ＯＳとの各組合せ毎に、業務プログラムの指定文字サイズを調整するための文字調整係数を記憶する文字サイズ調整テーブルが設けられている。作成ＯＳは実行しようとする業務プログラムを作成した情報処理端末に組込まれているＯＳであり、実行ＯＳは業務プログラムを実行しようとする情報処理端末に組込まれているＯＳである。
【００１７】
この作成ＯＳと実行ＯＳとの各組合に対して設定されている文字調整係数で業務プログラムの指定文字サイズを調整すれば、文字は常に最良の文字サイズで表示される。すなわち、各業務プログラムの作成ＯＳ、実行ＯＳがそれぞれ単独で、又は組合せで変更になったとしても、表示部に表示される文字の文字サイズが常に最良の文字サイズに制御される。
【００１８】
また、別の発明においては、上述した情報処理システムにおいて、データベースサーバに対して、各情報処理端末に記憶された各業務プログラムの作成に用いたＯＳの種別を記憶するプログラム管理テーブルと、作成に用いたＯＳの種別が異なる同一業務プログラムを複数種別のＯＳで実行した場合に表示部に表示される文字の文字サイズが同一文字サイズになるように、作成ＯＳと実行ＯＳとの組合せ毎に、業務プログラムの指定文字サイズを調整するための文字調整係数を記憶する文字サイズ調整テーブルと設けている。
【００１９】
また、各情報処理端末に対して、業務プログラムの実行指示に基づいて、データベースサーバに記憶されたプログラム管理テーブルから読出した実行指示された業務プログラムの作成ＯＳと、当該情報処理端末のＯＳからなる実行ＯＳとの組合せで、データベースサーバに記憶された文字サイズ調整テーブルの文字調整係数を検索する文字調整係数検索手段と、業務プログラムの実行指示に応じて指示された業務プログラムの実行過程において文字サイズを指定した文字表示指示に応じて、指定文字サイズを検索された文字調整係数で調整する表示文字サイズ調整手段とを付加している。
【００２０】
このように、プログラム管理テーブルと文字サイズ調整テーブルとをデータベースサーバに設けることによって、各情報処理端末における必要記憶容量を低減でき、情報処理システム全体の製造費用を低減できる。
【００２１】
また、別の発明においては、上記発明の情報処理システムにおいて、各情報処理端末は、外部指示に応じて当該情報処理端末独自のプログラム管理テーブルおよび文字サイズ調整テーブルとを記憶保持する手段を有し、文字調整係数検索手段は、当該情報処理端末にプログラム管理テーブルおよび文字サイズ調整テーブルが記憶保持されていた場合に、当該プログラム管理テーブルおよび文字サイズ調整テーブルを用いて文字調整係数を検索する。
【００２２】
このように構成された情報処理システムにおいては、各情報処理端末は当該情報処理端末独自のプログラム管理テーブルおよび文字サイズ調整テーブルを用いて、表示文字サイズを補正する。情報処理端末独自のプログラム管理テーブルおよび文字サイズ調整テーブルには、情報処理端末の表示器の製造会社が変更になった場合における文字サイズの微少な差異をも補正することが可能となる。
【００２３】
また、別の発明においては、上述した情報処理システムにおいて、各情報処理端末に、プログラム管理テーブルと、文字サイズ調整テーブルと、文字調整係数検索手段と、表示文字サイズ調整手段とを設けている。
【００２４】
さらに、各情報処理端末に、作成に用いたＯＳの種別が異なる同一業務プログラムを複数種別のＯＳで実行した場合に表示部に表示される色の表示色が同一表示色になるように、作成ＯＳと実行ＯＳとの組合せ毎に、業務プログラムの指定色値を調整するための色調整係数を記憶する表示色調整テーブルと、業務プログラムの実行指示に基づいて、プログラム管理テーブルから読出した実行指示された業務プログラムの作成ＯＳと、当該情報処理端末のＯＳからなる実行ＯＳとの組合せで、表示色調整テーブルの色調整係数を検索する色調整係数検索手段と、業務プログラムの実行指示に応じて指示された業務プログラムの実行過程において色値を指定した色表示指示に応じて、指定色値を前記検索された色調整係数で調整する表示色値調整手段とを設けている。
【００２５】
このように構成された情報処理システムにおいては、各業務プログラムの作成ＯＳ、実行ＯＳの組合せが変更になったとしても、表示部に表示される文字の文字サイズが常に最良の文字サイズに制御されるとともに、表示色も最良の色に調整される。
【００２６】
また、別の発明においては、上述した情報処理システムにおいて、データベースサーバに対して、プログラム管理テーブルと、文字サイズ調整テーブルと、表示色調整テーブルとを備えている。さらに、各情報処理端末に対して、文字調整係数検索手段と、色調整係数検索手段と、表示文字サイズ調整手段と、表示色値調整手段と付加している。
【００２７】
このように構成された情報処理システムにおいても、文字サイズおよび表示色が最良値に維持される。
【００２８】
また、別の発明においては、上記発明の情報処理システムにおいて、各情報処理端末は、外部指示に応じて当該情報処理端末独自のプログラム管理テーブル、文字サイズ調整テーブルおよび表示色調整テーブルを記憶保持する手段を有し、文字調整係数検索手段は、当該情報処理端末にプログラム管理テーブルおよび文字サイズ調整テーブルが記憶保持されていた場合に、当該プログラム管理テーブルおよび文字サイズ調整テーブルを用いて文字調整係数を検索する。また、色調整係数検索手段は、当該情報処理端末にプログラム管理テーブルおよび文字サイズ調整テーブルが記憶保持されていた場合に、当該プログラム管理テーブルおよび表示色調整テーブルを用いて色調整係数を検索する。
【００２９】
また、別の発明は、各種データを記憶するデータベースサーバに対して伝送路を介して接続され、データベースサーバに対するデータ検索の業務プログラムを含む複数の業務プログラムが記憶されたコンピュータを下記の各手段として機能させるための情報処理プログラムである。
【００３０】
そして、情報処理プログラムは、コンピュータを、記憶された各業務プログラムの作成に用いたＯＳの種別をプログラム管理テーブルに記憶する手段、作成に用いたＯＳの種別が異なる同一業務プログラムを複数種別のＯＳで実行した場合に表示部に表示される文字の文字サイズが同一文字サイズになるように、作成ＯＳと実行ＯＳとの組合せ毎に、業務プログラムの指定文字サイズを調整するための文字調整係数を文字サイズ調整テーブルに記憶する手段、業務プログラムの実行指示に基づいて、プログラム管理テーブルから読出した実行指示された業務プログラムの作成ＯＳと、当該情報処理端末のＯＳからなる実行ＯＳとの組合せで、文字サイズ調整テーブルの文字調整係数を検索する手段、業務プログラムの実行指示に応じて指示された業務プログラムの実行過程において文字サイズを指定した文字表示指示に応じて、指定文字サイズを検索された文字調整係数で調整する手段として機能させる。
【００３１】
このように構成された情報処理プログラムにおいては、上述した発明の情報処理とほぼ同じ作用効果を奏することが可能である。
【００３２】
また、別の発明の情報処理プログラムは、コンピュータを、記憶された各業務プログラムの作成に用いたＯＳの種別をプログラム管理テーブルに記憶する手段、作成に用いたＯＳの種別が異なる同一業務プログラムを複数種別のＯＳで実行した場合に表示部に表示される文字の文字サイズが同一文字サイズになるように、作成ＯＳと実行ＯＳとの各組合せ毎に、前記業務プログラムの指定文字サイズを調整するための文字調整係数を文字サイズ調整テーブルに記憶する手段、作成に用いたＯＳの種別が異なる同一業務プログラムを複数種別のＯＳで実行した場合に表示部に表示される色の表示色が同一表示色になるように、作成ＯＳと実行ＯＳとの組合せ毎に、前記業務プログラムの指定色値を調整するための色調整係数を表示色調整テーブルに記憶する手段、業務プログラムの実行指示に基づいて、プログラム管理テーブルから読出した前記実行指示された業務プログラムの作成ＯＳと、当該情報処理端末のＯＳからなる実行ＯＳとの組合せで、前記文字サイズ調整テーブルの文字調整係数を検索する手段、業務プログラムの実行指示に基づいて、前記プログラム管理テーブルから読出した実行指示された業務プログラムの作成ＯＳと、当該情報処理端末のＯＳからなる実行ＯＳとの組合せで、表示色調整テーブルの色調整係数を検索する手段、業務プログラムの実行指示に応じて指示された業務プログラムの実行過程において文字サイズを指定した文字表示指示に応じて、指定文字サイズを検索された文字調整係数で調整する手段、業務プログラムの実行指示に応じて指示された業務プログラムの実行過程において色値を指定した色表示指示に応じて、指定色値を検索された色調整係数で調整する手段として機能させる。
【発明の効果】
【００３３】
本発明においては、各情報処理端末に記憶されている各業務プログラムの作成ＯＳ、実行ＯＳがそれぞれ単独で、又は組合せで変更になったとしても、表示部に表示される文字の文字サイズ、表示部に表示される色の色値が、常に最良の文字サイズ、色値に制御される。
【発明を実施するための最良の形態】
【００３４】
以下、本発明の各実施形態を図面を用いて説明する。
【００３５】
（第１実施形態）
図１は本発明の第１実施形態に係わる情報処理システムの概略構成を示す模式図である。
【００３６】
データベースサーバ１０内には、各種データを記憶するデータベース（ＤＢ）１１とデータベース管理部１２が設けられている。データベース（ＤＢ）１１内には、例えば、図２に示すように、各商品の商品名、在庫数、商品コードを記憶する在庫ファイル１１ａが形成されている。データベースサーバ１０には、ネットワーク１３を介して、例えば３台の情報処理端末１４ａ、１４ｂ、１４ｃが接続されている。
【００３７】
本発明の情報処理プログラムが適用される各情報処理端末１４ａ、１４ｂ、１４ｃは例えば市販のパーソナル・コンピュータで構成されている。各情報処理端末１４ａ、１４ｂ、１４ｃは、それぞれ導入時期が異なるために、それぞれ、異なる種別のＯＳ１５ａ（種別ＯＳ―Ａ）、１５ｂ（種別ＯＳ―Ｂ）、１５ｃ（種別ＯＳ−Ｃ）が組込まれている。
【００３８】
各情報処理端末１４ａ、１４ｂ、１４ｃは、組込まれたＯＳ１５ａ、１５ｂ、１５ｃ以外は同一構成を有している。図３は情報処理端末１４ａの概略構成を示すブロック図である。
【００３９】
コンピュータで構成された情報処理端末１４ａ内には、複数の業務プログラムを記憶するプログラムメモリ１６、テーブル記憶部１７、ネットワーク１３に接続された送受信部１８、表示部１９、マウスとキーボードからなる入力部２０、（種別ＯＳ―Ａ）のＯＳ１５ａが記憶されているＯＳプログラムメモリ２１、調整係数バッファ２６が設けられている。
【００４０】
テーブル記憶部１７内には、プログラム管理テーブル２２、文字サイズ調整テーブル２３、表示色調整テーブル２４、読出文字データ調整テーブル２５が形成されている。
【００４１】
プログラム管理テーブル２２内には、図４に示すように、プログラムメモリ１６に記憶されている各業務プログラムにおけるプログラムＩＤ、プログラム名、作成ＯＳ、作成者、作成日、バージョンからなるプログラム属性が記憶されている。
【００４２】
「作成ＯＳ」とは、該当業務プログラムを作成した情報処理端末１４ａ〜１４ｃに組込まれているＯＳ１５の種別を示す。例えば、［Ｐ００１］のプログラムＩＤの業務プログラムは、（ＯＳ―Ｂ）の種別のＯＳ１５ｂが組込まれた情報処理端末１４ｂで作成された業務プログラムである。この実施形態においては、「作成ＯＳ」として、（ＯＳ−Ａ）、（ＯＳ―Ｂ）、（ＯＳ―Ｃ）の３種類がある。
【００４３】
文字サイズ調整テーブル２３内には、図５に示すように、（ＯＳ−Ａ）、（ＯＳ―Ｂ）、（ＯＳ―Ｃ）の３つの「実行ＯＳ」と、同じく（ＯＳ−Ａ）、（ＯＳ―Ｂ）、（ＯＳ―Ｃ）の３つの「作成ＯＳ」の合計９つの各組合せに対して、文字調整係数Ｋｍが記憶されている。「実行ＯＳ」とは、プログラムメモリ１６に記憶されている各業務プログラムを実際に実行する情報処理端末１４ａ〜１４ｃに組込まれているＯＳ１５の種別を示す。この実施形態においては、「実行ＯＳ」として、前述した（ＯＳ−Ａ）、（ＯＳ―Ｂ）、（ＯＳ―Ｃ）の３種類がある。
【００４４】
各文字調整係数Ｋｍは、図１０（ａ）に示すように、作成に用いたＯＳの種別が異なる同一業務プログラムを複数種別のＯＳで実行した場合に表示部１９に表示される文字３７の文字サイズが同一文字サイズになるように、作成ＯＳと実行ＯＳとの各組合せ毎に、業務プログラムの指定文字サイズＳを調整するための文字調整係数Ｋｍである。具体的には、業務プログラムの指定文字サイズＳに文字調整係数Ｋｍを乗算した文字サイズＳ0を調整後の文字サイズＳ0として、この文字サイズＳ0で文字を表示する。
【００４５】
Ｓ0＝Ｓ×Ｋｍ
なお、「作成ＯＳ」と「実行ＯＳ」とが同じの場合は、作成ＯＳと実行ＯＳとが異なることに起因する表示文字の文字サイズの変化は生じないので、文字調整係数Ｋｍは「１」である。
【００４６】
表示色調整テーブル２４内には、図６に示すように、（ＯＳ−Ａ）、（ＯＳ―Ｂ）、（ＯＳ―Ｃ）の３つの「実行ＯＳ」と、同じく（ＯＳ−Ａ）、（ＯＳ―Ｂ）、（ＯＳ―Ｃ）の３つの「作成ＯＳ」の合計９つの各組合せに対して、色調整係数Ｋｃが記憶されている。
【００４７】
各色調整係数Ｋｃは、作成に用いたＯＳの種別が異なる同一業務プログラムを複数種別のＯＳで実行した場合に表示部１９に表示される文字３７の色や背景色を含む各色のＲ，，Ｇ，Ｂの各成分値の組合せからなる色値が同一色値になるように、作成ＯＳと実行ＯＳとの各組合せ毎に、業務プログラムの指定色値Ｂを調整するための色調整係数Ｋｃである。具体的には、業務プログラムの指定色値Ｂに色調整係数Ｋｃを乗算した色値Ｂ0を調整後の色値Ｂ0として、この色値Ｂ0で色を表示する。
【００４８】
Ｂ0＝Ｂ×Ｋｃ
なお、「作成ＯＳ」と「実行ＯＳ」とが同じの場合は、作成ＯＳと実行ＯＳとが異なることに起因する表示色の変化は生じないので、色調整係数Ｋｃは「１」である。
【００４９】
読出文字データ調整テーブル２５内には、図７に示すように、（ＯＳ−Ａ）、（ＯＳ―Ｂ）、（ＯＳ―Ｃ）の３つの「実行ＯＳ」に対応する各データ調整係数Ｋｄが記憶されている。各データ調整係数Ｋｄは、各情報処理端末１４ａ、１４ｂ、１４ｃにおいて、各業務プログラムでデータベース１１のデータ３８を読出して、図１０（ｃ）に示すように、表示部１９に表示したときに、データ３８が同一サイズになるように、各業務プログラムで指定しているデータサイズＥを調整するためのデータ調整係数Ｋｄである。具体的には、業務プログラムで指定しているデータサイズＥにデータ調整係数Ｋｄを乗算したデータサイズＥ0を調整後のデータサイズＥ0として、このデータサイズＥ0でデータ３８を表示する。
【００５０】
Ｅ0＝Ｅ×Ｋｃ
調整係数バッファ２６内には、これから業務プログラムを実行する場合に、このプログラム実行期間中に使用する文字調整係数Ｋｍ、色調整係数Ｋｃ、データ調整係数Ｋｄが一時記憶される。
【００５１】
さらに、図１の情報処理端末１４ａ内には、アプリケーション・プログラム上に形成された、プログラム作成部２７、プログラム登録部２８、プログラム受信部２９、実行プログラム指定部３０、調整係数設定部３１、プログラム実行部３２、表示文字サイズ調整部３３、表示色調整部３４、データサイズ調整部３５が設けられている。
【００５２】
次に、各部２７〜３５の動作を順番に説明する。  
プログラム作成部２７は、操作者の入力部２０を介した指示に従って業務プログラムを作成して、プログラム登録部２８へ送出する。プログラム登録部２８は、作成された業務プログラムをプログラムメモリ１６に追加して書込むとともに、プログラム管理テーブル２２に該当業務プログラムのプログラムＩＤ、プログラム名、作成ＯＳ、作成者、作成日、バージョン等のプログラム属性を新たに設定する。なお、作成ＯＳはＯＳプログラムメモリ２１に書込まれているＯＳ１５ａの種別（ＯＳ−Ａ）である。さらに、プログラム登録部２８は、作成した業務プログラムおよびプログラム属性を送受信部１８およびネットワーク１３を介して他の情報処理端末１４ｂ、１４ｃへ送信する。
【００５３】
プログラム受信部２９は、ネットワーク１３を介して他の情報処理端末１４ｂ、１４ｃから受信した業務プログラムおよびプログラム属性をプログラム登録部２８へ送出する。プログラム登録部２８は、受信した業務プログラムをプログラムメモリ１６に追加して書込むとともに、プログラム属性をプログラム管理テーブル２２内に新たに設定する。
【００５４】
実行プログラム指定部３０は、操作者が入力部２０から一つの業務プログラムの実行指示を入力すると、この業務プログラムの実行指示を調整係数設定部３１およびプログラム実行部３２へ送出する。
【００５５】
調整係数設定部３１は、プログラム管理テーブル２３から該当業務プログラムの作成ＯＳを読出す。そして自己の情報処理端末１４ａに組込まれＯＳ１５の種別（ＯＳ−Ａ）を実行ＯＳとする。そして、作成ＯＳと実行ＯＳとの組合せ［作成ＯＳ・実行ＯＳ］で文字サイズ調整テーブル２３、表示色調整テーブル２４を検索して、組合せ［作成ＯＳ・実行ＯＳ］に対応する文字調整係数Ｋｍ、色調整係数Ｋｃを読出して、調整係数バッファ２６に書込む。さらに、調整係数設定部３１は、実行ＯＳで読出文字データ調整テーブル２５から対応するデータ調整係数Ｋｄを読出して、調整係数バッファ２６に書込む。
【００５６】
プログラム実行部３２は、プログラムメモリ１６に記憶されている先に指定された業務プログラムを実行する。具体的には、業務プログラムの各行に記載された各命令を順番に実行する。
【００５７】
図１０（ａ）に示すように、上記命令が業務プログラムに記載された文字３７を文字サイズＳに指定して表示部１９に表示する命令の場合、表示文字サイズ調整部３３は、この指定文字サイズＳに調整係数バッファ２６に記憶されている文字調整係数Ｋｍを乗算した文字サイズＳ0で該当文字３７を表示する。
【００５８】
また、図１０（ａ）に示すように、上記命令が業務プログラムに記載された文字３７の色又は背景色を色度Ｂに指定して表示部１９に表示する命令の場合、表示色調整部３４は、この指定色度Ｂに調整係数バッファ２６に記憶されている色調整係数Ｋｃを乗算した色度Ｂ0で文字３７の色又は背景色を表示する。
【００５９】
また、図１０（ｃ）に示すように、上記命令がデータベース１１のデータ３８を読出して、図１０（ｃ）に示すように、表示部１９に自己の業務プログラムで指定したデータサイズＥで表示する命令の場合、データサイズ調整部３５は、この指定データサイズＥに調整係数バッファ２６に記憶されているデータ調整係数Ｋｍを乗算したデータサイズＥ0でデータ３８を表示する。
【００６０】
図８、図９は、このように構成された情報処理端末１４ａの全体動作を示す流れ図である。
【００６１】
操作者による入力部２０からのプログラム作成指示があると（ステップＳ１）、操作者の指示に基づく業務プログラムを作成して（ステップＳ２）、プログラムメモリ１６に書込むとともに（ステップＳ３）、プログラム管理テーブル２２にプログラム属性を書込む（ステップＳ４）。さらに、作成した業務プログラムおよびプログラム属性を他の情報処理端末１４ｂ、１４ｃへ送信する。
【００６２】
他の情報処理端末１４ｂ、１４ｃから業務プログラムおよびプログラム属性を受信すると（ステップＳ５）、業務プログラムをプログラムメモリ１６に書込むとともに（ステップＳ３）、プログラム管理テーブル２２にプログラム属性を書込む（ステップＳ４）。
【００６３】
業務プログラムの実行指示が入力されると（ステップＳ６）、該当業務プログラムの作成ＯＳおよび実行ＯＳを読出す（ステップＳ７）。そして、この作成ＯＳと実行ＯＳとの組合せで、文字サイズ調整テーブル２３、表示色調整テーブル２４を検索して文字調整係数Ｋｍ、色調整係数Ｋｃを読出し、かつ実行ＯＳで読出文字データ調整テーブル２５を検索してデータ調整係数Ｋｄを読出して（ステップＳ８）、調整係数バッファ２６に一時格納する（ステップＳ９）。
【００６４】
そして、プログラムメモリ１６から該当業務プログラムを読出して（ステップＳ１０）、該当業務プログラムの実行処理を行う（ステップＳ１１）。
【００６５】
該当業務プログラムの実行が終了すると、調整係数バッファ２６の内容をクリアする（ステップＳ１２）。
【００６６】
そして、操作者が、作成ＯＳと実行ＯＳとの組合せを指定した色調整係数Ｋｃを入力部２０から入力すると（ステップＳ１３）、表示色調整テーブル２４の対応する色調整係数Ｋｃを今回操作入力された色調整係数Ｋｃに書換える（ステップＳ１４）。
【００６７】
このように、操作者は、必要に応じて、表示色調整テーブル２４に設定されている各色調整係数Ｋｃを修正することが可能である。このことにより、各情報処理端末１４ａ、１４ｂ、１４ｃの製造会社が異なる場合における製造会社相互間における表示色の微妙な差異を補正することが可能となる。
【００６８】
図９は、図８のステップＳ１１におけるプログラム実行処理のサブルーチンを示す流れ図である。
【００６９】
先ず、プログラム行カウンタの行Ｐの初期化（Ｐ＝１）を行う（ステップＱ１）。Ｐ行の実行命令を読取る（ステップＱ２）。この実行命令が文字表示の場合（ステップＱ３）、指定文字サイズＳを文字調整係数Ｋｍで調整（Ｓ0＝Ｓ×Ｋｍ）して（ステップＱ４）、該当文字３７を調整後の文字サイズＳ0で表示する（ステップＱ５）。
【００７０】
その後、プログラム行Ｐを更新し（ステップＱ６）、更新後のプログラム行Ｐが最終行ＰEを超えていないと（ステップＱ７）、ステップＱ２へ戻る。
【００７１】
実行命令が色表示の場合（ステップＱ８）、指定色値Ｂを色調整係数Ｋｃで調整（Ｂ0＝Ｂ×Ｋｃ）して（ステップＱ９）、該当色を調整後の色値Ｂ0で表示する（ステップＱ１０）。そして、ステップＱ６へ進む。
【００７２】
実行命令がデータ表示の場合（ステップＱ１１）、データベースサーバ１０のデータベース１１から該当データ３８を読出して（ステップＱ１２）、業務プログラムの指定データサイズＥをデータ調整係数Ｋｄで調整（Ｅ0＝Ｅ×Ｋｄ）して（ステップＱ１３）、該当データ３８を調整後のデータサイズＥ0で表示する（ステップＱ１４）。そして、ステップＱ６へ進む。
【００７３】
実行命令がその他の命令の場合（ステップＱ１５）、該当命令を行う（ステップＱ１６）。その後、プログラム行Ｐを更新し（ステップＱ６）、更新後のプログラム行Ｐが最終行ＰEを超えると（ステップＱ７）プログラム実行処理のサブルーチンを終了する。
【００７４】
このように構成された第１実施形態の情報処理システムにおいては、各情報処理端末１４ａ、１４ｂ、１４ｃに、作成ＯＳと実行ＯＳとの各組合せ毎の文字調整係数Ｋｍ、色調整係数Ｋｃを記憶した文字サイズ調整テーブル２３、表示色調整テーブル２４が形成されている。
【００７５】
したがって、たとえ、各情報処理端末１４ａ、１４ｂ、１４ｃのプログラムメモリ１６に記憶されている各業務プログラムの作成ＯＳ、実行ＯＳがそれぞれ単独で、又は組合せで変更になったとしても、表示部１９に表示される文字３７の文字サイズ、表示部１９に表示される色の色値が、常に最良の文字サイズ、色値に制御される。図１０（ａ）、（ｂ）は、互いに異なる作成ＯＳ、実行ＯＳにて表示部１９に表示された各文字３７を示す。図示するように、各文字は互いに等しい大きさに表示される。
【００７６】
さらに、各情報処理端末１４ａ、１４ｂ、１４ｃには、各「実行ＯＳ」に対応する各データ調整係数Ｋｄを記憶する読出文字データ調整テーブル２５が形成されている。
【００７７】
したがって、たとえ、「実行ＯＳ」が変更になったとしても、図１０（ｃ）に示すように、データベース１１から読出されて表示部１９に表示されるデータ３８は常に一定の最適データサイズとなる。
【００７８】
（第２実施形態）
図１１は本発明の第２実施形態に係わる情報処理システムの概略構成を示す模式図である。図１に示す第１実施形態の情報処理システムと同一部分には同一符号を付して重複部分の詳細説明を省略する。
【００７９】
この第２実施形態に係わる情報処理システムにおけるデータベースサーバ１０ａには、ネットワーク１３を介して、例えば３台の情報処理端末４０ａ、４０ｂ、４０ｃが接続されている。データベースサーバ１０ａ内には、各種データを記憶するデータベース（ＤＢ）１１とデータベース管理部１２の他に、テーブル記憶部１７ａとテーブル管理部４１が設けられている。
【００８０】
テーブル記憶部１７ａ内には、プログラム管理テーブル２２、文字サイズ調整テーブル２３、表示色調整テーブル２４、読出文字データ調整テーブル２５が形成されている。すなわち、このテーブル記憶部１７ａは、図３に示す第１実施形態の各情報処理端末１４ａ〜１４ｃ内のテーブル記憶部１７をデータベースサーバ１０ａ内へ移動させたものである。テーブル管理部４１は各情報処理端末４０ａ、４０ｂ、４０ｃからの指示に従ってテーブル記憶部１７ａの各テーブル２２〜２５に対する情報の書込、読出を行う。
【００８１】
各情報処理端末４０ａ、４０ｂ、４０ｃは例えば市販のパーソナル・コンピュータで構成され、それぞれ、異なる種別のＯＳ１５ａ（種別ＯＳ―Ａ）、１５ｂ（種別ＯＳ―Ｂ）、１５ｃ（種別ＯＳ−Ｃ）が組込まれている。図１２は情報処理端末４０ａの概略構成を示すブロック図である。図３の第１実施形態の情報処理端末１４ａと同一部分には同一符号を付して重複部分の詳細説明を省略する。
【００８２】
この第２実施形態の情報処理端末４０ａ内には、第１実施形態の情報処理端末１４ａにおけるテーブル記憶部１７は設けられていない。その他の構成は第１実施形態の情報処理端末１４ａとほぼ同じである。各部２７〜３５の動作を順番に説明する。
【００８３】
プログラム作成部２７は業務プログラムを作成してプログラム登録部２８ａへ送出する。プログラム登録部２８ａは、作成された業務プログラムをプログラムメモリ１６に追加して書込むとともに、該当業務プログラムを、ネットワーク１３を介して他の情報処理端末４０ｂ、４０ｃへ送信する。さらに、該当業務プログラムのプログラム属性をデータベースサーバ１０ａへ送信して、テーブル管理部４１を介して、プログラム管理テーブル２２に書込む。
【００８４】
プログラム受信部２９ａは、ネットワーク１３を介して他の情報処理端末４０ｂ、４０ｃから受信した業務プログラムをプログラム登録部２８ａへ送出する。プログラム登録部２８ａは、受信した業務プログラムをプログラムメモリ１６に追加して書込む。
【００８５】
実行プログラム指定部３０は、業務プログラムの実行指示が入力されると、この業務プログラムの実行指示を調整係数設定部３１ａおよびプログラム実行部３２へ送出する。
【００８６】
調整係数設定部３１ａは、ネットワーク１３を介してデータベースサーバ１０ａのプログラム管理テーブル２２から該当業務プログラムの作成ＯＳを読出す。そして自己の情報処理端末４０ａに組込まれたＯＳ１５の種別（ＯＳ−Ａ）を実行ＯＳとする。そして、作成ＯＳと実行ＯＳとの組合せ［作成ＯＳ・実行ＯＳ］でデータベースサーバ１０ａの文字サイズ調整テーブル２３、表示色調整テーブル２４を検索して、組合せ［作成ＯＳ・実行ＯＳ］に対応する文字調整係数Ｋｍ、色調整係数Ｋｃを読出して、調整係数バッファ２６に書込む。さらに、調整係数設定部３１ａは、実行ＯＳでデータベースサーバ１０ａの読出文字データ調整テーブル２５を検索して、対応するデータ調整係数Ｋｄを読出して、調整係数バッファ２６に書込む。
【００８７】
プログラム実行部３２は、プログラムメモリ１６に記憶されている先に指定された業務プログラムを実行する。業務プログラムの各行に記載された各命令を順番に実行する。
【００８８】
表示文字サイズ調整部３３は、業務プログラムで表示指示された文字を、指定文字サイズＳに調整係数バッファ２６に記憶されている文字調整係数Ｋｍを乗算した文字サイズＳ0で表示部１９に表示する。
【００８９】
表示色調整部３４は、業務プログラムで表示指示された色を、指定色度Ｂに調整係数バッファ２６に記憶されている色調整係数Ｋｃを乗算した色度Ｂ0で表示部１９に表示する。
【００９０】
データサイズ調整部３５は、データベース１１のデータを読出して、指定データサイズＥに調整係数バッファ２６に記憶されているデータ調整係数Ｋｍを乗算したデータサイズＥ0で表示部１９に表示する。
【００９１】
図１３は、このように構成された情報処理端末４０ａの全体動作を示す流れ図である。操作者による入力部２０からのプログラム作成指示があると（ステップＲ１）、操作者の指示に基づく業務プログラムを作成する（ステップＲ２）。この業務プログラムのプログラム属性をデータベースサーバ１０ａへ送信して、プログラム管理テーブル２２へ書込む（ステップＲ３）。そして作成した業務プログラムを情報処理端末４０ｂ、４０ｃへ送信する。さらに、自己のプログラムメモリ１６に書込む（ステップＲ５）。
【００９２】
他の情報処理端末４０ｂ、４０ｃから業務プログラムを受信すると（ステップＲ６）、この業務プログラムをプログラムメモリ１６に書込む（ステップＲ５）。
【００９３】
業務プログラムの実行指示が入力されると（ステップＲ７）、データベースサーバ１０ａと回線接続してテーブル記憶部１７ａに対するアクセス可能状態にする（ステップＲ８）。該当業務プログラムの作成ＯＳおよび実行ＯＳを読出す（ステップＲ９）。そして、この作成ＯＳと実行ＯＳとの組合せで、文字サイズ調整テーブル２３、表示色調整テーブル２４を検索して文字調整係数Ｋｍ、色調整係数Ｋｃを読出し、かつ実行ＯＳで読出文字データ調整テーブル２５を検索してデータ調整係数Ｋｄを読出して（ステップＲ１０）、調整係数バッファ２６に一時格納する（ステップＲ１１）。データベースサーバ１０ａとの回線を遮断する。
【００９４】
プログラムメモリ１６から該当業務プログラムを読出して（ステップＲ１２）、該当業務プログラムの実行処理を行う（ステップＲ１３）。該当業務プログラムの実行が終了すると、調整係数バッファ２６の内容をクリアする（ステップＲ１３）。
【００９５】
なお、ステップＲ１３におけるプログラム実行処理のサブルーチンは、図９に示す第１実施形態のプログラム実行処理のサブルーチンと同じである。
【００９６】
このように構成された第２実施形態の情報処理システムにおいても先に説明した第１実施形態の情報処理システムとほぼ同じ作用効果を奏することができる。
【００９７】
さらに、この第２実施形態の情報処理システムにおいては、プログラム管理テーブル２２、文字サイズ調整テーブル２３、表示色調整テーブル２４、読出文字データ調整テーブル２５が形成されているテーブル記憶部１７ａをデータベースサーバ１０ａに設けている。したがって、各情報処理端末４０ａ〜４０ｃにおける必要記憶容量を低減でき、情報処理システム全体の製造費用を低減できる。
【００９８】
（第３実施形態）
図１４は本発明の第３実施形態に係わる情報処理システムの概略構成を示す模式図である。図１１に示す第２実施形態の情報処理システムと同一部分には同一符号を付して重複部分の詳細説明を省略する。
【００９９】
この第３実施形態の情報処理システムにおいて、データベースサーバ１０ａには、ネットワーク１３を介して、例えば３台の情報処理端末４２ａ、４２ｂ、４２ｃが接続されている。３台の情報処理端末４２ａ、４２ｂ、４２ｃのうち２台の情報処理端末４２ａ、４２ｃにはテーブル記憶部１７が設けられているが、１台の情報処理端末４２ｂにはテーブル記憶部１７が設けられていない。すなわち、情報処理端末４２ａ、４２ｃは図３に示す第１実施形態の情報処理端末１４ａとほぼ同じ構成を有し、情報処理端末４２ｂは図１２に示す第２実施形態の情報処理端末４０ａとほぼ同じ構成を有する。
【０１００】
そして、各情報処理端末４２ａ、４２ｂ、４２ｃは図１５に示す流れ図に従って業務プログラムに対する制御を行う。すなわち、ステップＴ１にて、自己端末にテーブル記憶部１７が設けられている場合には、自己端末のテーブル記憶部１７の各テーブル２２〜２５を用いて図８に示す処理を実行する（ステップＴ２）。また、ステップＴ１にて、自己端末にテーブル記憶部１７が設けられていない場合には、データベースサーバ１０ａのテーブル記憶部１７ａの各テーブル２２〜２５を用いて図１３に示す処理を実行する（ステップＴ３）。
【０１０１】
このように構成された第３実施形態の情報処理システムにおいても先に説明した第１、第２実施形態の情報処理システムとほぼ同じ作用効果を奏することができる。
【０１０２】
さらに、この第３実施形態の情報処理システムにおいては、各情報処理端末４２ａ〜４２ｃは、必要に応じて、当該情報処理端末独自のプログラム管理テーブル２２、文字サイズ調整テーブル２３、表示色調整テーブル２４を用いて、表示文字サイズおよび表示色値を調整することが可能である。
【０１０３】
このように、情報処理端末４２ａ、４２ｂ、４２ｃ独自の文字サイズ調整テーブル２３および表示色調整テーブル２４に各調整係数Ｋｍ、Ｋｃを設定することが可能であるので、情報処理端末の表示部１９の製造会社が変更になった場合における文字サイズ、表示色の微少な差異をも補正することが可能となる。
【図面の簡単な説明】
【０１０４】
【図１】本発明の第１実施形態に係わる情報処理システムの概略構成を示す模式図。
【図２】同実施形態の情報処理システムのデータベースサーバに設けられたデータベースの記憶内容を示す図。
【図３】同実施形態の情報処理システムに組込まれた情報処理端末の概略構成を示すブロック図。
【図４】同情報処理端末内に設けられたプログラム管理テーブルの記憶内容を示す図。
【図５】同情報処理端末内に設けられた文字サイズ調整テーブルの記憶内容を示す図。
【図６】同情報処理端末内に設けられた表示色調整テーブルの記憶内容を示す図。
【図７】同情報処理端末内に設けられた読出文字データ調整テーブルの記憶内容を示す図。
【図８】同情報処理端末の動作を示す流れ図。
【図９】同じく同情報処理端末の動作を示す流れ図。
【図１０】同情報処理端末の表示部における文字の表示状態を示す図。
【図１１】本発明の第２実施形態に係わる情報処理システムの概略構成を示す模式図。
【図１２】同実施形態の情報処理システムに組込まれた情報処理端末の概略構成を示すブロック図。
【図１３】同情報処理端末の動作を示す流れ図。
【図１４】本発明の第３実施形態に係わる情報処理システムの概略構成を示す模式図。
【図１５】同実施形態の情報処理システムに組込まれた情報処理端末の動作を示す流れ図。
【図１６】従来の情報処理システムに組込まれた情報処理端末の表示部における文字の表示状態を示す図。
【符号の説明】
【０１０５】
１０，１０ａ…データベースサーバ、１１…データベース、１３…ネットワーク、１４ａ，１４ｂ，１４ｃ，４０ａ，４０ｂ，４０ｃ，４２ａ，４２ｂ，４２ｃ…情報処理端末、１５ａ，１５ｂ，１５ｃ…ＯＳ、１６…プログラムメモリ、１７，１７ａ…テーブル記憶部、１８…送受信部、１９…表示部、２０…入力部、２２…プログラム管理テーブル、２３…文字サイズ調整テーブル、２４…表示色調整テーブル、２５…読出文字データ調整テーブル、２６…調整係数バッファ、２７…プログラム作成部、２８，２８ａ…プログラム登録部、２９，２９ａ…プログラム受信部、３０…実行プログラム指定部、３１，３１ａ…調整係数設定部、３２…プログラム実行部、３３…表示文字サイズ調整部、３４…表示色調整部、３５…データサイズ調整部、３７…文字、３８…データ
【図１】
2007188412.tif 000003
【図２】
2007188412.tif 000004
【図３】
2007188412.tif 000005
【図４】
2007188412.tif 000006
【図５】
2007188412.tif 000007
【図６】
2007188412.tif 000008
【図７】
2007188412.tif 000009
【図８】
2007188412.tif 000010
【図９】
2007188412.tif 000011
【図１０】
2007188412.tif 000012
【図１１】
2007188412.tif 000013
【図１２】
2007188412.tif 000014
【図１３】
2007188412.tif 000015
【図１４】
2007188412.tif 000016
【図１５】
2007188412.tif 000017
【図１６】
2007188412.tif 000018